(57)【要約】      （修正有）【課題】筆記用のために必要な明りのみならず、いわゆる懐中電灯のような照明器具としても使用でき、また、フラッシング（点滅機能）も持たせ、遠くからでも筆記具の所在、ひいては筆記具携帯者が分かるようにしたライト付き筆記具を提供する。【解決手段】光透過性のペン先支持部１１の先端からペン先８が突出した筆記具本体１と、この筆記具本体１の先端部に着脱自在な光透過性のキャップ２とを有する筆記具であって、ペン先支持部１１の内側には、筆記具本体１に設けられた電池５、発光ダイオード駆動回路Ａおよびスイッチ３Ａを介し点灯または点滅する発行ダイオードが設けられた構成とした。【選択図】図１
0003139386.tif 000002
【実用新案登録請求の範囲】
【請求項１】
光透過性のペン先支持部（１１）の先端からペン先（８）が突出した筆記具本体（１）と、この筆記具本体（１）の先端部に着脱自在な光透過性のキャップ（２）とを有する筆記具であって、
前記ペン先支持部（１１）の内側には、前記筆記具本体（１）に設けられた電池（５）、発光ダイオード駆動回路（Ａ）およびスイッチ（３Ａ）を介し点灯または点滅する発光ダイオードが設けられたことを特徴とするライト付き筆記具。
【請求項２】
請求項１記載のライト付き筆記具において、
前記スイッチ（３Ａ）は、押しボタン（３ａ）と切り換えスイッチ（３ｂ）からなり、第１回の押しボタン押圧により、前記発光ダイオードが点灯し、第２回の押圧により点滅することを特徴とするライト付き筆記具。
【請求項３】
請求項１記載のライト付き筆記具において、
前記点滅の発光ダイオードは緑色を発光することを特徴とするライト付き筆記具。
【請求項４】
請求項１記載のライト付き筆記具において、
前記キャップ先端部にはレンズ（２ｂ）をなし、照明器具にもなり、かつキャップ（２）はクリップ（２ａ）を有し、このクリップ（２ａ）に光を反射性の紐（１６）を取り付け可能とし前記紐（１６）を介し携帯可能としたことを特徴とするライト付き筆記具。
【考案の詳細な説明】
【技術分野】
【０００１】
この考案は、ライト付き筆記具に関する。
【背景技術】
【０００２】
筆記具としては、鉛筆に代え、最近ではシャープペンシルやボールペンの方が利便性が高いため、一般的に多用されている。
【０００３】
従来この種の筆記具として、単なる筆記用のシャープペンシルやボールペンに加え、夜間においては暗くて書きづらかったりするため、暗所対応のライト付きのものが提案されている。
【特許文献１】実開平７−４３１２２号公報
【考案の開示】
【考案が解決しようとする課題】
【０００４】
しかしながら、この従来例では、筆記具自ら発する光は、筆記するために必要最小限な明るさのため、視力の弱い人にとっては十分な明るさとは云えず、また、非常に暗い場所では使い勝手が悪い、という欠点があった。
また、単に書く部分を照らすだけの機能しかなく、用途が筆記具のみに限定されていた。
【０００５】
この考案は上記のことに鑑み提案されたもので、その目的とするところは、筆記用のために必要な明りのみならず、いわゆる懐中電灯のような照明器具としても使用でき、また、フラッシング（点滅機能）も持たせ、信号発生器的にも使用でき、遠くからでも筆記具の所在、ひいては筆記具携帯者が分かるようにしたライト付き筆記具を提供するにある。
【課題を解決するための手段】
【０００６】
請求項１の考案は、光透過性のペン先支持部（１１）の先端からペン先（８）が突出した筆記具本体（１）と、この筆記具本体（１）の先端部に着脱自在な光透過性のキャップ（２）とを有する筆記具であって、前記ペン先支持部（１１）の内側には、前記筆記具本体（１）に設けられた電池（５）、発光ダイオード駆動回路（Ａ）およびスイッチ（３Ａ）を介し点灯または点滅する発光ダイオードが設けられたことを特徴とするライト付き筆記具。
請求項２の考案は、請求項１記載のライト付き筆記具において、前記スイッチ（３Ａ）は、押しボタン（３ａ）と切り換えスイッチ（３ｂ）からなり、第１回の押しボタン押圧により、前記発光ダイオードが点灯し、第２回の押圧により点滅することを特徴とするライト付き筆記具。
請求項３の考案は、請求項１記載のライト付き筆記具において、前記点滅の発光ダイオードは緑色を発光することを特徴とするライト付き筆記具。
請求項４の考案は、請求項１記載のライト付き筆記具において、前記キャップ先端部にはレンズ（２ｂ）をなし、照明器具にもなり、かつキャップ（２）はクリップ（２ａ）を有し、このクリップ（２ａ）に光を反射性の紐（１６）を取り付け可能とし前記紐（１６）を介し携帯可能としたことを特徴とするライト付き筆記具。
【考案の効果】
【０００７】
以上のように本考案によれば、内蔵の発光ダイオードが単に発光するのみならず、組み合わされるキャップの先端部にレンズ機能を持たせたため、レンズ効果により明るい光となり、筆記具自体を照明器具としても利用し得る。
また、筆記具本体の先端部は交互に点滅するフラッシング機能を有するため、例えばループ状の紐を用いて首等に吊り下げれば夜道における歩行または自転車などによる走行時に、遠くからでも自動車の運転手が容易に視認することができ、信号発生器としても利用し得、事故を未然に防止することができる。
さらに、紐を反射性のものとすれば、より視認効果が向上し、交通安全に寄与し得る。
【考案を実施するための最良の形態】
【０００８】
以下、図面に沿って本考案の実施例を説明する。
【実施例１】
【０００９】
図１（ａ）は本考案に係る筆記具の外観図、（ｂ）はその断面図である。
【００１０】
まず、図１（ａ）において、１はボールペンのような筆記具本体、２はその先端部に着脱自在なキャップで、樹脂製の透明または半透明の部材からなり、かつクリップ２ａが設けられ、先端部はレンズ２ｂとなっている。３Ａは内蔵された発光ダイオードのオン／オフ用の３段階構造のスイッチ、４は筆記具本体１の後端部に設けられた電池出し入れ用の後部キャップで、ネジ構造により筆記具本体１に対し着脱自在になっている。
【００１１】
筆記具本体１内には、図１（ｂ）に示すように、後部キャップ４側内に電池（例えば単４形の乾電池）５が内蔵されている。６はスプリング構造のプラス側電極、７はマイナス側電極で、ペン先８に連結された円筒状の軸９の回りに設けられている。軸９の後端側外周、つまり電池側には、バネが設けられている。このバネはマイナス側電極７およびリード線を兼用している。
【００１２】
スイッチ３Ａの下部には切り換えスイッチ３ｂが設けられている。スイッチ３Ａは、押しボタン３ａと切り換えスイッチ３ｂからなり、押しボタン３ａの操作により動作する切り換えスイッチ３ｂは、発光ダイオード（図１（ｂ）には図示せず）を所望の動作でもって駆動するための発光ダイオード駆動回路Ａ（図３参照）に接続されている。発光ダイオードは軸９の先端部の例えば空間部分１０ａか１０ｂ等に設けると好ましい。ペン先８の周囲には、透光性部材からなる円錐状のペン先支持部１１が設けられる。換言すれば、ペン先支持部１１の中央部からペン先８が突出している。発光ダイオードはペン先支持部１１の手前側に設けると好ましい。このペン先支持部１１にレンズ効果をもたせると、光を明るくすることができ好ましい。
【００１３】
なお、有底円筒状であって透明または半透明の透光性部材からなるキャップ２の先端部はほぼ半球状の凸レンズが形成されレンズ２ｂとなっており、発光ダイオードの光を収束して所定の部位を明るく照らすことができ、筆記具自体がそのまま懐中電灯として利用できるように構成されている。
【００１４】
図２は電池５の収納状態の部分拡大図を示す。電池５を構成する電池陽極は後部キャップ４の底部に設けられたスプリング構造のプラス側電極６に弾接される。後部キャップ４は円筒部を有し、その内周側はネジ部４ａとなっており、円筒状の筆記具本体１に対し着脱自在であり、電池５が交換できるようになっている。
【００１５】
図３は、ペン先支持部１１の内側に設けられた発光ダイオードの駆動回路Ａの基本構成の一例である。電池５を包有してなる電源回路５Ａの出力はパルス発生部１２に加えられ、パルス発生部１２の出力は点滅用発光ダイオード駆動回路１３に加えられる。点滅用発光ダイオード駆動回路１３は点滅用の発光ダイオード１５に接続される。
【００１６】
また、電源回路５Ａの陽極側出力端はスイッチ３Ａの切り換えスイッチ３ｂに接続されており、切り換えスイッチ３Ａは第１段階の押しボタン操作では、発光ダイオード１４を点灯させるようになっている。押しボタン３ａを再度押し込む２段階操作では発光ダイオード１４は消灯し、点滅用の発光ダイオード１５側に電流が流れるよう切り換えられる。さらに、押しボタン３ａを押し込むと、切り替えスイッチ３ｂはオフとなり、点灯、点滅用の発光ダイオード１４、１５に電流は流れることはない。
【００１７】
パルス発生部１２、点滅用発光ダイオード駆動回路１３等はＩＣチップ化され、筆記具本体１の内部の適位置のスペースに内蔵され点灯、点滅用発光ダイオード１４、１５とスイッチ３Aとの間に設けられる。
【００１８】
パルス発生部１２は、直列接続された抵抗Ｒ１、ピーク電流制限抵抗Ｒ２およびコンデンサＣ１と、直列接続された抵抗Ｒ２およびコンデンサＣ１と並列に接続されたＤＩＡＣ、ユニジャンクショントランジスタのようなトリガ素子Ｔと、一端が抵抗Ｒ１、Ｒ２との接続点に接続され、他端が点滅用発光ダイオード駆動部１３のトランジスタＴｒのベースに接続され、直流分のカットされたトリガパルスを出力するコンデンサＣ２とからなる。また、点滅用発光ダイオード駆動回路１３は、終端抵抗Ｒ３、オンオフ用のトランジスタＴｒ等からなり、トランジスタＴｒの一端は点滅用の発光ダイオード１５の一端に接続されている。この発光ダイオード１５の他端は電流制限用の抵抗Ｒ４を介し、切り換えスイッチ３ｂ、電源回路５Ａ側に接続されている。なお、Ｒ５は点灯用の発光ダイオード１４側に挿入された電流制限用抵抗である。
【００１９】
動作にあたっては、切り換えスイッチ３ｂの第１段階の押圧操作により、電源回路５Ａと点灯用発光ダイオード１４が接続され、発光ダイオード１４が点灯する。この光は、ペン先支持部１１のレンズ効果によってより明るくすることが可能である。したがって、暗い所でもペン先によって字を書くことができる。もう一度プッシュすると、スイッチが切り換えられ、発光ダイオード１４は消え、パルス発生部１２のコンデンサＣ１と抵抗Ｒ１、Ｒ２の時定数によりトリガ素子Ｔの充放電を行い、その出力により、トランジスタＴｒをオンオフする。これによって、発光ダイオード１５が点滅する。これにより、図４に示すように、ペン先支持部１１が明るくなったり、暗くなったりし、筆記具本体１にフラッシング機能をもたせることができる。
【００２０】
このオン／オフする点滅用の発光ダイオード１５としては、好ましくは緑色等の光を発光するものを用いる。色の種類は任意で所望の視認効果を得ることができる。
【００２１】
筆記具本体１の先端部にはキャップ２が着脱自在となっており、図５に示すように、キャップ２を被せ、発光ダイオード１４または１５を駆動させることにより、キャップ２の先端部のレンズ２ｂにより光を収束させ、スポット光Ｌを得ることができ、懐中電灯としても使用し得る。
【００２２】
図７は筆記具本来の使用以外の他の使用例を示す。
【００２３】
キャップ２のクリップ２ａに紐１６を取り付け、例えば人体の首１７に吊り下げ、スイッチ３Ａを操作し、発光ダイオード１５を点灯または点滅させれば、携帯している人物を夜間であっても容易に視認でき、信号発生器としても機能し、遠くからでも容易に人がいることを知ることができる。このため、例えば夜間、自動車の運転者は人がいることを視認でき、事故を未然に防ぐことができる。
【００２４】
紐１６として、反射機能のものを用いればより明るく輝くため、自動車の運転者の注意をより喚起することができる。
【００２５】
なお、上記実施例では発光ダイオードは２つ用いたが、必要に応じ適宜増減し得る。
【００２６】
また、発光ダイオード駆動回路Ａは図示例に限定されるものでなく、発光ダイオードを点灯または点滅させる他の回路を用いても良い。
【００２７】
さらに、筆記具としては、ボールペンを例としたが、その他の筆記具にも適用し得ることは勿論である。
【図面の簡単な説明】
【００２８】
【図１】（ａ）は本考案に係る筆記具の外観図、（ｂ）は内部構造を示す断面図。
【図２】同上の筆記具の後端部の部分拡大断面説明図
【図３】本考案に適用される点滅回路の一例。
【図４】本考案の動作説明図。
【図５】本考案の筆記具にキャップを取り付ける状態説明図。
【図６】本考案の使用状態説明図。
【図７】本考案の他の使用状態説明図。
【符号の説明】
【００２９】
１        筆記具本体
２        キャップ
２ａ      クリップ
２ｂ      レンズ
３Ａ      スイッチ
３ａ      押しボタン
３ｂ      切り換えスイッチ
４        後部キャップ
４ａ      ネジ部
５        電池
５Ａ      電源回路
６        プラス側電極
７        マイナス側電極
８        ペン先
９        軸
１０ａ、１０ｂ    空間
１１      ペン先支持部
１２      パルス発生部
１３      点滅用発光ダイオード駆動回路
１４      点灯用発光ダイオード
１５      点滅用発光ダイオード
１６      紐
Ａ        発光ダイオード駆動回路
【図１】
0003139386.tif 000003
【図２】
0003139386.tif 000004
【図３】
0003139386.tif 000005
【図４】
0003139386.tif 000006
【図５】
0003139386.tif 000007
【図６】
0003139386.tif 000008
【図７】
0003139386.tif 000009